(57)【要約】【課題】  意匠性ないし装飾性（加飾性）に優れ、自動車のスカッフプレート部などの加飾に使用される加飾装置を提供する。【解決手段】  第１導光板と、  前記第１導光板の下に配置される金属製の文字板であって、貫通孔によってメッシュ状に形成された文字部を備える文字板と、  前記文字板の下に配置される第２導光板と、  前記第２導光板の下に配置される光反射層と、  前記第１導光板に導入される光を放出する第１光源と、及び  前記第２導光板に導入される光を放出する第２光源と、  を備える加飾装置とする。【選択図】  図５
2005221661.tif 000002
【特許請求の範囲】
【請求項１】
第１導光板と、
前記第１導光板の下に配置される金属製の文字板であって、貫通孔によってメッシュ状に形成された文字部を備える文字板と、
前記文字板の下に配置される第２導光板と、
前記第２導光板の下に配置される光反射層と、
前記第１導光板に導入される光を放出する第１光源と、及び
前記第２導光板に導入される光を放出する第２光源と、
を備える加飾装置。
【請求項２】
前記文字板の前記文字部に対向する部分が打ち抜かれてなる金属板であって、前記第１導光板と前記文字板との間に配置される金属板を更に備える、請求項１に記載の加飾装置。
【請求項３】
前記文字板の前記文字部に対向する部分が打ち抜かれてなる金属板であって、前記文字板と前記第２導光板との間に配置される金属板を更に備え、
前記文字板において前記文字部以外の部分が貫通孔によってメッシュ状に形成されている、請求項１に記載の加飾装置。
【請求項４】
前記文字板において、前記文字部と前記文字部以外の部分との間で前記第１導光板側表面の光反射特性が異なる、請求項１〜３のいずれかに記載の加飾装置。
【請求項５】
前記文字板の前記文字部において前記第１導光板側が凹状又は凸状に形成されている、請求項１〜４のいずれかに記載の加飾装置。
【請求項６】
第１導光板と、
前記第１導光板の下に配置される文字板であって、貫通孔からなる文字部を備え、前記第１導光板側の表面が金属光沢を有する文字板と、
前記文字板の下に配置される第２導光板と、
前記第２導光板の下に配置される金属層と、
前記第１導光板に入射する光を放出する第１光源と、及び
前記第２導光板に入射する光を放出する第２光源と、
を備える加飾装置。
【請求項７】
前記第１導光板の裏面において前記文字板の前記文字部に対向する部分が凹状に形成されている、請求項１〜６のいずれかに記載の加飾装置。
【請求項８】
前記第１光源の発光色と、前記第２光源の発光色とが異なる、請求項１〜７のいずれかに記載の加飾装置。
【発明の詳細な説明】
【技術分野】
【０００１】
本発明は、所望の文字等を発光表示することで加飾効果を得る装置（加飾装置）に関する。本発明の加飾装置は例えば自動車のスカッフプレートとして好適に利用される。
【背景技術】
【０００２】
文字等を発光表示させて加飾効果を得る、自動車用のスカッフプレート装置が実用化されている。図８に、従来の透過型発光式のスカッフプレート装置１００を示す。スカッフプレート装置１００では導光板１０３の上にハーフミラーフィルム１０２、及び所望の文字等の形状を打ち抜いた文字板１０１（例えばアルミ板）が積み重ねられる。導光板１０３の裏面には白色印刷が施されている。導光板１０３の端面に対向する位置には光源１０４が配置される。このようなスカッフプレート装置１００では光源１０４が点灯すると、導光板１０３の端面を介して導光板１０３内に光が導入される。導入された光は導光板１０３の裏面側で反射作用を受け、これによって導光板１０３の上面方向の光が生成する。その結果、導光板１０３の上面から光が放出される。放出された光はハーフミラーフィルム１０２を通過して文字板１０１に至り、その一部は文字板１０１に形成された打ち抜き部を介して外部に取り出される。以上の作用によって所定の文字等が発光表示される。一方、スカッフプレート装置の外部が明るいとき（即ち昼間時）には外光が文字板１０１に照射する。照射光の一部は文字板１０１の打ち抜き部を通ってハーフミラーフィルム１０２に至り、そこで反射される。一方、文字板１０１の打ち抜き部以外の部分に照射する外光は文字板表面で反射される。以上のようなハーフミラーフィルム１０２による反射作用と文字板表面での反射作用とが奏される結果、所定の文字がハーフミラーフィルムの材質を反映した色（金属色）で表示される一方、その周りは文字板の材質を反映した色（金属色）で表示（視認）される。尚、本発明に関連する先行技術として以下の文献を開示する。
【０００３】
【特許文献１】特開２００２−２７９８１７号公報
【発明の開示】
【発明が解決しようとする課題】
【０００４】
以上の従来型のスカッフプレート装置では、ハーフミラーフィルムを使用することによって昼間時に文字等を金属色で表示する。ところが、ハーフミラーフィルムの反射作用によって得られる金属の質感と、文字板表面の反射作用によって得られる金属の質感との差が大きいため、表示される文字の質感とその周りの質感の差が目立ち、スカッフプレート装置全体の表示態様が高級感に乏しいものとなる。一方、夜間における発光表示の際にも、文字等が均一に発光表示されるに過ぎず、その意匠は高級感に欠けたものであった。
本発明は以上の課題に鑑みて、意匠性ないし装飾性（加飾性）に優れた加飾装置を提供することを目的とする。
【課題を解決するための手段】
【０００５】
本発明の第１の構成は次の通りである。即ち、
第１導光板と、
前記第１導光板の下に配置される金属製の文字板であって、貫通孔によってメッシュ状に形成された文字部を備える文字板と、
前記文字板の下に配置される第２導光板と、
前記第２導光板の下に配置される光反射層と、
前記第１導光板に導入される光を放出する第１光源と、及び
前記第２導光板に導入される光を放出する第２光源と、
を備える加飾装置である。
また、本発明の第２の構成は次の通りである。即ち、
第１導光板と、
前記第１導光板の下に配置される文字板であって、貫通孔からなる文字部を備え、前記第１導光板側の表面が金属光沢を有する文字板と、
前記文字板の下に配置される第２導光板と、
前記第２導光板の下に配置される金属層と、
前記第１導光板に入射する光を放出する第１光源と、及び
前記第２導光板に入射する光を放出する第２光源と、
を備える加飾装置である。
【発明の効果】
【０００６】
本発明の第１の構成は次の作用・効果を奏する。まず昼間時には第１導光板を介して文字板に外光が照射する。文字部以外の部分では外光は文字板の表面（金属面）で反射される。これによって当該部分は文字板の材質を反映した金属色で表示（視認）される。一方、文字板の文字部においても、これをメッシュ状に形成したことから、外光の一部が文字板の表面（金属面）で反射され、これによって文字部も文字板の材質を反映した金属色で表示される。このように文字部及びその周囲がいずれも文字板の材質を反映した色及び質感で表示されることから全体としての統一感が得られるとともに、高い質感を有し、高級感に富む意匠が構成される。一方、夜間時には第１光源及び第２光源の光によって以下の表示態様となる。まず第２光源の光が第２導光板を介して下方から文字板に照射する。照射光の一部は、文字板の文字部に形成された貫通孔を通って上方へと取り出される。一方、第１導光板を介して第１光源の光が上方から文字板に照射する。文字部では、これをメッシュ状に形成したことから、その表面で照射光の一部が反射される。この反射作用によって、第２光源に起因する光（文字部に形成された貫通孔を通って上方へと取り出される光）に金属感が付与され、文字部は金属の質感をもった光で発光表示される。一方の文字部以外の部分ではその表面で第１光源の光が反射され、その結果、当該部分は金属色で表示（視認）される。以上のように、文字部と文字部以外の部分とが共に金属の質感をもった色で表示されることとなり両者の間に高い統一感が得られる。このように夜間時においても高級感に富んだ意匠が構成される。
【０００７】
一方、本発明の第２の構成は次の作用・効果を奏する。まず昼間時には第１導光板を介して文字板に外光が照射する。文字部以外の部分では外光は文字板の表面（金属面）で反射される。これによって当該部分は文字板の材質を反映した金属色で表示（視認）される。一方、文字板の文字部を貫通孔としたことから、外光の中で文字部に照射する光は文字板を通過し、更に第２導光板も通過した後、第２導光板の下に配置される金属層に至り、そこで反射される。その結果、文字部が金属色で表示されることとなる。このように、文字部及びその周囲がいずれも金属色で表示されることから全体としての統一感が得られ、高級感に富んだ意匠が構成される。一方、夜間時には第１光源及び第２光源の光によって以下の表示態様となる。まず第２光源の光が第２導光板に導入される。導入された光は、第２導光板の下に配置された金属層に反射され、これによって金属感が付与された光が第２導光板の上面より放出される。放出された光は下方から文字板に照射する。そして照射光の一部は、文字板の文字部を通って上方へと取り出される。これによって文字部が金属色で発光表示される。一方、第１導光板を介して第１光源の光が上方から文字板に照射する。この光を受けて文字板の文字部以外の部分は金属色で表示（視認）される。以上の作用が奏される結果、文字部と文字部以外の部分が共に金属感をもった態様で表示され、両者の間に高い統一感が得られる。また、文字部の発光点位置（金属層位置）と、文字部以外の発光点位置（文字板位置）が相違することから文字部が立体的に表示される。以上の作用が総合的に奏されることによって、高級感溢れる意匠が構成される。
【発明を実施するための最良の形態】
【０００８】
本発明は加飾装置に関し、第１の構成は第１導光板と、前記第１導光板の下に配置される金属製の文字板であって、貫通孔によってメッシュ状に形成された文字部を備える文字板と、前記文字板の下に配置される第２導光板と、前記第２導光板の下に配置される光反射層と、前記第１導光板に導入される光を放出する第１光源と、及び前記第２導光板に導入される光を放出する第２光源とを備える。一方、第２の構成は第１導光板と、前記第１導光板の下に配置される文字板であって、貫通孔からなる文字部を備え、前記第１導光板側の表面が金属光沢を有する文字板と、前記文字板の下に配置される第２導光板と、前記第２導光板の下に配置される金属層と、前記第１導光板に入射する光を放出する第１光源と、及び前記第２導光板に入射する光を放出する第２光源とを備える。以下、本発明を構成する各部材（要素）について説明する。
【０００９】
（第１導光板）
第１導光板には後述の第１光源の光が導入される。導入された光の一部は、導光板の裏面より放出される。この放出された光は上方から文字板を照射する。このように本発明では、文字板に上方から光が照射することをその特徴の一つとする。
後述のように文字板には文字部（メッシュ状、或いは貫通孔）が形成されるが、第１導光板の裏面において当該文字部が対向する部分を凹状に形成することが好ましい。このような構成では、第１導光体の裏面において文字部の上方に位置する部分が凹部となる。これにより、第１導光体に導入された光が当該凹部のエッジにおいて集中、拡散されることによるエッジライト効果が奏され、立体感が付与されるなど、文字部の表示が一層装飾性に富むものとなる。
第１導光板の材質は光透過性であれば特に限定されない。好ましくは透明な材料により第１導光板を構成する。また、加工が容易で耐久性に優れた材料により第１導光板を構成することが好ましい。第１導光板の材料の具体例としてはポリカーボネート樹脂、アクリル樹脂（メタクリル樹脂（ＰＭＭＡ）等）、エポキシ樹脂、ガラス等を挙げることができる。また、第１導光板の加工方法としては周知の射出成型等を採用することができる。尚、第１導光板の上面に、傷つき防止、汚れ防止等の目的でハードコート処理等を施してもよい。
【００１０】
第１導光体の上面を覆い、その周縁部が第１導光体と接着される光透過性シートを用いることができる。光透過性シートの形成材料としてはポリカーボネート樹脂、アクリル樹脂、エポキシ樹脂等を用いることができる。光透過性シートの上面に、傷つき防止、汚れ防止等の目的でハードコート処理等を施すことが好ましい。光透過性シートを用いることにより第１導光体の上面への傷、汚れ等を防止できる。
光透過シートと第１導光体との接着は接着剤、シール等を用いて行うことができる。また、光透過シートを第１導光体と同一の材料（例えばポリカーボネート樹脂）により形成し、光透過シートと第１導光体とを溶着させることにより両者を接着させることもできる。溶着方法としては周知の方法を採用できる。
【００１１】
（文字板）
文字板は第１導光板の下に配置される。文字板には所望の数字や文字、記号などをかたどった文字部が設けられる。本発明の第１の構成では文字部は複数の貫通孔によってメッシュ状に形成される。即ち、文字部には複数の貫通孔が穿孔されている。文字部全体に亘って均一な形状、大きさ、数（文字部に占める割合）、及びパターンの貫通孔を形成することが好ましい。文字部を均一な態様で表示するためである。文字部に形成される貫通孔の形状等は特に限定しないが、形状の例としては円形、楕円形、三角形などの多角形を挙げることができ、大きさの例としては最大長部分が0.1mm〜3.0mm、好ましくは0.2mm〜1mm、更に好ましくは0.3mm〜0.7mmの範囲を挙げることができ、数（文字部に占める割合）の例としては文字部の10％〜80％、好ましくは20％〜70％、更に好ましくは30％〜60％を貫通孔が占めることになる数を挙げることができる。貫通孔の形状は、そこを介して外部に放出される光の形状を規定することになるから、その設計に際して文字部の発光デザインを考慮することが好ましい。貫通孔の大きさ及び数は文字部を介して取り出される光の量（主に第２光源に起因する光の量）を規定するとともに、文字部表面における光の反射量（外光又は第１光源の光の反射量）を規定する。貫通孔が小さすぎたり、貫通孔の数が少なすぎたりする場合には十分な量の光を通過させることができない。これに対して貫通孔が大きすぎたり、貫通孔の数が多すぎたりする場合には良好な光の通過を確保できるものの、文字部表面において外光又は第１光源に起因する光を十分に反射することができず、金属の質感で文字部を表示するという本発明特有の効果を十分に発揮できない。尚、貫通孔の大きさは貫通孔全体に亘って一様でなくともよいが、文字部を均一な態様で表示するという観点からは、貫通孔の大きさを揃えることが好ましい。但し、文字部の一部を他の部分と異なる態様で表示させることを目的とするなどデザイン上の観点から、意図的に大きさの異なる二種類以上の貫通孔によって文字部を形成することもできる。
貫通孔のパターンは規則的又は不規則的のいずれでもよいが、好ましくは規則的なパターンとする。具体的には例えばドットマトリックス状に貫通孔を設ける。貫通孔の間隔（ピッチ）は例えば0.1mm〜5mm、0.3mm〜3mm、0.5mm〜2.0mmとする。貫通孔の間隔は文字部全体に亘って一様でなくともよい。
小さい貫通孔を採用し、これを狭い間隔（ピッチ）で形成することによって、特に昼間時において文字部を高い金属感で表示することができる。かかる構成ではまた、貫通孔がより目立たなくなるため一層高い意匠性で文字部を表示することができる。尚、このような構成の貫通孔を採用することは文字板の強度の面からも好ましい。
【００１２】
文字板の厚みは特に限定されず、強度、装置全体の厚み、加工処理の容易さ等を考慮してこれを適宜設定することができる。例えば文字板の厚みを0.05cm〜1.5cm、好ましくは0.1cm〜1cm、更に好ましくは0.2cm〜0.8cmとする。
以上のような文字部を備える文字板は、金属板をパンチング処理することによって作製することができる。使用する金属板の材質としては例えばアルミニウム、ステンレス鋼、真鍮、マグネシウムなどを挙げることができる。尚、例えば研磨処理やメッキ処理など、所望の表面処理を文字板に施しても良い。
文字板に形成される上記貫通孔にポリ塩化ビニルやエポキシ樹脂等の透明な樹脂等が充填されていてもよい。
【００１３】
本発明の第１の構成における一態様は、文字板に加えて、文字板の文字部に対向する部分が打ち抜かれてなる（貫通孔にポリ塩化ビニルやエポキシ樹脂等の透明な樹脂等が充填されていてもよい）金属板を備える。かかる金属板は例えば第１導光板と文字板との間に配置される。このような構成では昼間時に第１導光板を介して装置内へと進入した外光はまず当該金属板に至る。金属板において文字板の文字部に対向する部分は打ち抜かれていることから、当該部分に至った外光は金属板を通過し、その後は文字板の通過、第２導光板の透過、反射面での反射などを経て、文字部を金属色で表示させる。一方、文字部以外の部分に至った外光は金属板の表面で反射される。この反射作用の結果、文字部の周囲が金属板の材質や表面状態を反映した色及び質感で表示（視認）されることとなる。また夜間時においても、第１光源の光が第１導光板を介して金属板の表面に照射し、そして反射されることによって、文字部の周囲は昼間時と同様に金属板の材質等を反映した色等で表示（視認）される。このように本態様の構成では文字部の周囲が文字板の材質等ではなく、金属板の材質等を反映した色等で表示される。従って、文字板と異なる材料製の金属板を用いれば、文字部の表示態様とその周囲の表示態様との間で質感が異なるようにするなどして意匠性を高めたり、更なる高級感を付与したりすることができる。
【００１４】
以上の金属板を、文字板と第２導光板の間に配置してもよい。この場合には、文字板の文字部以外の部分が貫通孔によってメッシュ状に形成される。かかる構成では、第１導光板を通過して文字板方向に進行する光（昼間時の外光や第１光源の光）の中で、文字板の文字部以外の部分に照射する光の一部はそこに形成された貫通孔を通って金属板表面に至りそこで反射される。一方、文字板の文字部以外の部分に照射する光の他の一部は文字板表面で反射される。このような金属板表面と文字板表面とによる反射作用の結果として得られる光によって、文字部の周囲の意匠が構成される。従って、文字板に形成する貫通孔の形態や、金属板の材質及び表面状態などを適宜選択・変更することによって、文字部の周囲を様々な表示態様とすることができる。
以上のように、文字板に加えて金属板を使用することによって意匠性や高級感の向上、或いはデザイン自由度の向上などの効果が奏される。
【００１５】
本発明の第２の構成では、貫通孔からなる文字部を備えた文字板が用いられる。即ちこの構成の文字板では文字部が打抜き的に形成されている。この構成の文字板は、このような文字部の特徴に加えて、第１導光板側の表面が金属光沢を有するという特徴を併せ持つ。少なくとも第１導光板側の表面が金属光沢を有しておればよく、例えば樹脂表面に金属層を形成させたものなどを文字板として利用することもできる。このような所望の部分にのみ金属層が形成された文字板を用いる場合には、金属層表面において十分な反射作用が得られるように金属層の厚みを設定することが好ましい。かかる構成にすれば文字板の文字部以外の部分において外光又は第１光源の光を良好に反射することができ、高い金属感及び質感で当該部分を表示することができる。文字板として金属板を採用することが好ましい。文字部以外の部分を一層高い金属感及び質感で表示することができるからである。
【００１６】
（第２導光板）
第２導光板は文字板の下方に配置される。第２導光板には後述の第２光源の光が導入される。導入された光の少なくとも一部は第２導光板の上面から放出される。上面からの効率的な光の放出を可能とすべく、第２導光板の下には光反射層が設けられる。光反射層は、第２導光体の裏面に至る（又は裏面より放出される）光を反射し、第２導光体の上面方向の光を生成するために設けられる。このような機能を良好に発揮することができるように光反射層を第２導光体の裏面に密着した状態で設けることが好ましい。また、良好な反射作用が得られるように、高反射性材料によって光反射層を形成することが好ましい。典型的には第２導光体の裏面上に光反射層を形成する。例えば白色インクや塗料の印刷や塗布、白色シールないしフィルムの貼付、金属材料の蒸着、金属光沢を有するシールないしフィルムの貼付などによってこのような光反射層を形成することができる。或いは、導光体の裏面をエッチング、サンドブラスト、放電加工等の処理により粗面化して光反射層を形成することもできる。
尚、装置の使用時において以上のような配置態様が実現されればよい。例えばその表面が高反射率の板状部材（例えばアルミ板などの金属板や、その表面に金属層を形成した樹脂板等）を別途用意し、この部材の表面が第２導光体の裏面に密着した状態で組み立てられるように本発明の装置を構成することもできる。
【００１７】
本発明の第２の構成では光反射層として金属層を用いる。これによって、光反射層による反射作用の結果として得られる光は金属色を帯びたものとなり、もって文字部が金属色で表示される。金属層は、上記の光反射層の場合と同様に、第２導光体裏面への金属材料の蒸着や金属光沢を有するシール等の貼付などによって形成することができる。金属板や、その表面に金属層を形成した樹脂板等を用いて、第２の導光板の下に金属層が備えられる本構成を実現してもよい。
【００１８】
第２導光板の上面以外の面からの光の漏洩を防止することで上面からの更なる効率的な光の放出を可能とすべく、第２導光板の側面（端面）に光反射層を形成したり、光反射性の表面を有する他の部材（例えば白色樹脂製や金属製の反射板）を第２導光板の側面（端面）に密着させた状態で設置したりすることが好ましい。
尚、第２導光板は上記の第１導光板と同様の材料を用いて作製することができる。
【００１９】
（第１光源及び第２光源）
光源の種類は特に限定されないが、小型である点、低消費電力である点、長寿命である点などからＬＥＤを光源として用いることが好ましい。ＬＥＤとしては砲弾型、チップ型等、種々のタイプのものを採用できる。ＬＥＤを光源とすることにより光源の発熱量が小さくなり周りの部材への熱的影響が小さいといった利点もある。
採用する光源の発光色も特に限定されない。異なる発光色を有する光源を複数組み合わせて用いることができる。複数の光源を用いた場合には、各光源の発光状態を制御し、様々な発光態様の光を放射することが可能である。例えば、赤、緑、青の各色のＬＥＤを光源として採用し、各ＬＥＤの発光状態、発光量を制御すれば、所望の色を発光させることができる。用いるＬＥＤの個数については導光板（第１導光板及び第２導光板）の大きさ、求められる輝度等を総合的に考慮して定めることができる。
各光源を、対応する導光板（第１導光板、第２導光板）の端面（側面）に対向するように配置することが好ましい。導光板へ効率的に光を導入するためである。
以下、実施例を用いて本発明の構成をさらに詳細に説明する。
【実施例１】
【００２０】
図１は本発明の一の実施例であるスカッフプレート加飾装置１を示す分解斜視図である。図２は図１におけるＡ−Ａ線断面図である。以下、これらの図面を参照しながらスカッフプレート加飾装置１の構成を説明する。
【００２１】
スカッフプレート加飾装置１は、スカッフプレート１０、第１導光板２０、文字板３０、第２導光板４０、反射板４６、第１光源５０、及び第２光源６０を備える。
スカッフプレート１０はステンレス製であって、その中央には長方形の窓１１が設けられている。スカッフ樹脂ガーニッシュ７０への装着のために、スカッフプレート１０は略コの字状の断面形状（長手方向に垂直な断面）を有する。スカッフプレート１０の厚さは例えば０．５ｍｍとする。
第１導光板２０はアクリル樹脂からなる平板状の部材である。第１導光板２０の表面は全体に光沢面となっている。第１導光板２０の厚さは例えば３ｍｍとする。
第１導光板２０の左右端面に対向する位置にそれぞれ第１光源５０が配置される。第１光源５０は表面実装型（SMDタイプ）、白色発光のLEDを基板上に二個並列させた光源である。このように本実施例では二個のLEDを一組として光源を構成しているが、使用する光源の数は特に限定されるものではない。各第１光源５０は図示しない電源制御回路に接続され、例えばドアの開閉に連動してその点灯状態が制御される。
文字板３０はステンレス製であって、その一部に文字部３１が形成される。文字部３１には図２に示すように複数の貫通孔３２が形成されている。換言すれば、文字部３１は貫通孔３２によりメッシュ状となっている。この実施例では平面視形状が円、大きさが直径0.5mmの貫通孔が、隣り合う貫通孔との間隔を1mmとして規則的なパターンで形成されている。尚、文字板３０の厚さは例えば０．３ｍｍとする。
【００２２】
第２導光板４０は第１導光板２０と同様にアクリル樹脂製であって、略平板状の形状を有する。第２導光板４０の一端面４１には凹部（光導入部４３）が形成されている。この光導入部４３内にその発光部が位置するように後述の第２光源６０が配置される。第２導光板４０の裏面４４は、光導入部４３側から反対側（端面４２側）に向かって徐々に上面に近づくように傾斜した面である。第２導光板４０の裏面４４の中央部には、白色インクによるシルク印刷が施されている。この印刷によって裏面４４の一部（光反射面４５）に高い光反射性が付与される。即ち、第２導光板４０に導入された光は光反射面４５において高効率で反射される。その結果、高輝度の光が第２導光板４０の上面から放出され、下方から文字板３０の文字部３１を照射する。シルク印刷する領域は、文字板３０の文字部３１の大きさを考慮して定められている。必要十分な領域のみに上記のシルク印刷を施すことによって、より高輝度の光を文字部３１に照射することができる。
第２導光板４０の端面４２には反射板４６が装着される。反射板４６は白色系樹脂製の板状部材である。
第２光源６０は砲弾型（レンズタイプ）、白色発光のＬＥＤである。本実施例では１個のＬＥＤを使用した。第１光源５０と同様に、第２光源６０も図示しない電源制御回路に接続され、例えばドアの開閉に連動してその点灯状態が制御される。
以上の構成のスカッフプレート加飾装置１は、スカッフ樹脂ガーニッシュ７０に設けられた装着部７１内に設置される。具体的には装着部７１内に第２導光板４０、文字板３０、及び第１導光板２０をこの順で積み重なるよう設置した後、第１導光板２０を覆うようにスカッフプレート１０を被せる。
【００２３】
以上のように構成されたスカッフプレート加飾装置１の表示態様について説明する。まず昼間時には第１導光板２０を介して上方から文字板３０に外光が照射する。文字板３０の文字部３１以外の部分では外光はステンレス面に反射され、これによって当該部分は金属色（ステンレス特有の金属色）で表示（視認）される。一方、文字板３０の文字部３１においても、これをメッシュ状に形成したことから、外光の一部がステンレス面に反射される。これによって文字部３１も金属色（ステンレス特有の金属色）で表示される。以上の作用が奏される結果、スカッフプレート１０の窓１１を介して、所定の文字とその周囲がいずれもステンレス特有の色及び質感で表示される。このように文字部及びその周囲がいずれも文字板の材質（ステンレス）を反映した色及び質感で表示されることから全体としての統一感が得られるとともに、高い質感を有し、高級感に富む意匠が構成される。尚文字部３１では、そこに照射した外光の一部は貫通孔を介して文字板３０を通過することから反射光が少なくなる。また、文字部３１で生ずる反射光は、貫通孔によってメッシュ状になっているという文字部３１の表面状態を反映させた特有のものとなる。このように文字部３１とそれ以外の部分との状態が異なることから文字とその周囲の見え方に差が生じ、もって文字表示が行われる。
【００２４】
夜間時には第１光源５０及び第２光源６０の光によって以下の表示態様となる。まず第２光源６０の光は光導入部４３を介して第２導光板４０に導入される。導入された光は第２導光板４０を導光し、その一部は上面より取り出される。上述のように、第２導光板４０の裏面４４に光反射面４５を設けたことによって、光反射面４５に対応する上面を介した積極的な光の放出が行われる。また、反射板４６の作用によって、第２導光板４０の端面４２からの光の漏洩が防止されることから、上面から放出される光の輝度が上昇する。更には、第２導光板４０の裏面４４を上記のごとき傾斜面としたことによって、第２光源６０に近い部分と第２光源６０から遠い部分との間で、光反射面４５に反射される光の量が緩和される。その結果、輝度ムラの少ない光が第２導光板４０の上面を介して放出される。以上のようにして第２導光板４０の上面を介して放出された光は、文字板３０の文字部３１に下方から照射する。照射光の一部は文字部３１に形成された貫通孔を通って上方へと取り出される。
一方、第１導光板２０を介して第１光源５０の光が上方から文字板３０に照射する。文字部３１では、これをメッシュ状に形成したことから、その表面で照射光の一部が反射される。この反射作用によって、第２光源６０に起因する光（文字部３１の貫通孔を通って上方へと取り出される光）に金属感が付与され、文字部３１は金属の質感をもった光で発光する。一方の文字部３１以外の部分ではその表面で第１光源３０の光が反射され、その結果、当該部分は金属色で表示（視認）される。以上の作用が奏される結果、スカッフプレート１０の窓１１を介して、所定の文字が金属の質感をもった色で発光表示される一方で、その周りも金属の質感をもった色で表示されることとなる。このように夜間時においても文字とその周囲とが高い統一感で表示等され、高級感に富むスカッフプレート部となる。
【実施例２】
【００２５】
次に、本発明の他の実施例を説明する。図３に本実施例のスカッフプレート加飾装置２を示す。尚、上記実施例と同一の部材には同一の符号を付してその説明を省略する。
スカッフプレート加飾装置２では第１導光板２０と文字板３０との間に金属板８０が備えられる。金属板８０はアルミ製であって、文字板３０の文字部に対向する部分（両者を重ね合わせたときに文字部３１の上に位置する部分）は打抜かれている（図３のＢ−Ｂ線断面図である図４を参照）。尚、金属板８０の厚さは例えば０．３ｍｍとする。
上記実施例と同様にスカッフプレート加飾装置２は、スカッフ樹脂ガーニッシュ７０に設けられた装着部７１内に設置される。具体的には装着部７１内に第２導光板４０、文字板３０、金属板８０及び第１導光板２０をこの順で積み重なるよう設置した後、第１導光板２０を覆うようにスカッフプレート１０を被せる。
【００２６】
以上のように構成されたスカッフプレート加飾装置２の表示態様について説明する。まず昼間時には第１導光板２０を介して取り込まれた外光の一部が上方から金属板８０に照射する。その結果生ずる反射作用によって貫通孔８１以外の部分は金属色（アルミ特有の金属色）で表示（視認）される。一方、第１導光板２０を介して取り込まれた外光の一部は金属板８０の貫通孔８１を通って文字板３０の文字部３１に至る。文字部３１ではその表面において一部の照射光が反射される（一部の照射光は貫通孔を通過する）。これによって文字部３１が金属色（ステンレス特有の金属色）で表示される。以上の作用が奏される結果、スカッフプレート１０の窓１１を介して、ステンレスの色及び質感をもった色で所定の文字が表示される一方で、その周りはアルミの色及び質感をもった色で表示されることとなる。このように文字とその周囲が異なる色及び質感で表示されることとなり昼間時においても文字の認識が可能となる。ここで、文字とその周囲は異なる色及び質感で表示されるが、両者の色及び質感はともに金属の色及び質感を反映する。従って、文字とその周囲が高い統一感をもって表示される。また、文字及びその周囲の表示態様がともに金属特有の高い質感をもつことになる。
【００２７】
夜間時には、スカッフプレート照明装置１と同様に、第２光源６０に起因する光が下方から文字板３０に照射し、照射光の一部は文字部３１に形成された貫通孔を通って上方へと取り出される。一方、第１導光板２０を介して第１光源５０の光が上方から金属板８０に照射する。その結果生ずる反射作用によって金属板８０の貫通孔８１以外の部分は金属色（アルミ特有の金属色）で表示（視認）される。一方、第１光源５０の光の一部は金属板８０の貫通孔８１を通って文字板３０の文字部３１に至る。文字部３１では、その表面で照射光の一部が反射される。この反射作用によって、第２光源６０に起因する光（文字部３１の貫通孔を通って上方へと取り出される光）に金属感が付与され、文字部３１は金属の質感をもった光で発光する。以上の作用が奏される結果、スカッフプレート１０の窓１１を介して、ステンレスの色、質感をもった色で所定の文字が発光表示される一方でその周りはアルミの色、質感をもった色で表示されることとなる。このように夜間時においても文字とその周囲とが高い統一感で表示等され、高級感に富むスカッフプレート部が構成される。
【実施例３】
【００２８】
次に、本発明の他の実施例を説明する。図５に本実施例のスカッフプレート加飾装置３を示す。尚、上記実施例と同一の部材には同一の符号を付してその説明を省略する。
スカッフプレート加飾装置３では、裏面に所定の文字の彫込みが施された第１導光板２５が使用される。即ち、この第１導光板２５の裏面には、図６−ａに示すように、後述の文字板３５の文字部３６が対向する部分（両者を重ね合わせたときに文字部３６の上に位置する部分）が凹状に形成されている。この凹部の深さは例えば０．５ｍｍとする。
文字板３５としては、全体に貫通孔（パンチング孔）が穿孔されたステンレス板が使用される。この実施例では平面視形状が円、大きさが直径0.5mmの貫通孔が、隣り合う貫通孔との間隔を1mmとして規則的なパターンで形成されている。文字板３５の文字部３６は、貫通孔３７によるメッシュ状であることに加えて、その上面が凹状となっている（図６−ｂを参照）。この凹部の深さは例えば０．１５ｍｍとする。また、文字板３５では、文字部３６の上面を光沢面とし、それ以外の部分３７の上面を艶消し面としている。
文字板３５と第２導光板４０との間には金属板８０が備えられる。金属板８０はアルミ製であって、文字板３５の文字部３６に対向する部分（両者を重ね合わせたときに文字部３５の下に位置する部分）が打抜かれている。
上記実施例と同様に、スカッフプレート加飾装置３は、スカッフ樹脂ガーニッシュ７０に設けられた装着部７１内に設置される。具体的には装着部７１内に第２導光板４０、金属板８０、文字板３５、及び第１導光板２５をこの順で積み重なるように設置した後、第１導光板２５を覆うようにスカッフプレート１０を被せる。
【００２９】
以上のように構成されたスカッフプレート加飾装置３の表示態様について説明する。まず昼間時には第１導光板２５を介して取り込まれた外光が上方から文字板３５に照射する。照射光の一部は、文字板３５の文字部３６及び他の部分３７のいずれにおいてもその表面で反射される。これによって文字部３６及び他の部分３７はともに金属色（ステンレス特有の金属色）で表示（視認）されることになる。ここで、文字部３６及び他の部分３７はそれぞれの表面状態を反映した質感で表示される。即ち、文字部３６はその表面が光沢面であることを反映して光沢感の高い質感で表示され、一方の他の部分３７はその表面が艶消し面であることを反映して艶消し感の高い質感で表示される。このような表示態様となる結果、スカッフプレート１０の窓１１を介して、所定の文字とその周囲が異なる質感で表示されることとなる。一方、文字及びその周囲がいずれも金属面による反射を反映した色及び質感で表示されることから全体としての統一感が得られるとともに、高い質感をもった意匠となる。また、文字部３６の表面を凹状としたことによって、文字部３６の表面とその他の部分３７の表面との間で外光を反射する位置（擬似発光点）が異なる。換言すれば、視点から文字部３６表面までの距離と、同じく視点からその他の部分３７表面までの距離に差が生ずる。これによって文字部３６が立体的に表示されることとなり、意匠性が向上する。また、第１導光板２５の裏面に形成された凹部のエッジにおける外光の集中或いは拡散によってさらなる加飾効果が得られる。
【００３０】
夜間時には第１光源５０及び第２光源６０の光によって以下の表示態様となる。まず第２光源６０の光は光導入部４３を介して第２導光板４０に導入される。導入された光は第２導光板４０を導光し、その一部は上面より放出される。放出光は下方から金属板８０に照射し、その一部は貫通孔８１を通って文字板３５の文字部３６に下方から照射する。照射光の一部は文字部３６に形成された貫通孔を通って上方へと取り出される。一方、第１導光板２５を介して第１光源５０の光が上方から文字板３５に照射する。その結果生ずる反射作用によって、文字部３６では第２光源６０に起因する光（文字部３６の貫通光を通って上方へと取り出される光）に金属感が付与され、もって文字部３６は金属の質感をもった光で発光する。他方、文字部３６以外の部分３７においてもその表面（貫通孔以外の部分）で第１光源５０に起因する光が反射される。その結果、当該部分３７はその表面状態を反映した金属色で表示（視認）される。以上の作用が奏される結果、スカッフプレート１０の窓１１を介して、所定の文字が金属の質感をもった色で発光表示される一方で、その周りも金属の質感をもった色で表示されることとなる。このように夜間時においても文字とその周囲とが高い統一感で表示され、高級感に富むスカッフプレート部が構成される。一方、第１導光板２５内では、導光する光が導光板裏面に形成された凹部２６のエッジに集中し拡散する。これによってエッジライト効果が奏され、文字の発光表示に立体感が付与される。また、昼間時と同様に夜間時においても、文字板３５の文字部３６の表面状態とその他の部分３７の表面状態との相違に起因して、文字とその周囲が異なる質感で表示される。また、文字部３６の表面を凹状としたことによって文字の表示に更なる立体感が付与され、一層意匠性に優れたスカッフプレート部となる。
【実施例４】
【００３１】
次に、本発明の他の実施例を説明する。図７に本実施例のスカッフプレート加飾装置４を示す。尚、上記実施例と同一の部材には同一の符号を付してその説明を省略する。
スカッフプレート加飾装置４では、裏面に所定の文字の彫込みが施された第１導光板２５、金属板８０、第２導光板４０、及び第２金属板９０が使用される。第２金属板９０はステンレス製である。スカッフプレート加飾装置４では金属板８０が文字板として機能する（金属板８０の貫通孔が文字部８１となる）。一方、スカッフプレート加飾装置４の使用時において第２導光板４０は、第２金属板９０上に実質的な間隙のない状態で載置される。尚、この実施例での第２導光板４０の裏面には白色印刷は施されていない。
第１光源５０としては、上記実施例と同様に表面実装型、白色発光のＬＥＤが使用され、第２光源６５としては砲弾型、青色発光のＬＥＤが使用される。
上記実施例と同様にスカッフプレート加飾装置４は、スカッフ樹脂ガーニッシュ７０に設けられた装着部７１内に設置される。具体的には装着部７１内に第２金属板９０、第２導光板４０、金属板８０、及び第１導光板２５をこの順で積み重なるように設置した後、第１導光板２５を覆うようにスカッフプレート１０を被せる。
【００３２】
以上のように構成されたスカッフプレート加飾装置４の表示態様について説明する。まず昼間時には第１導光板２５を介して取り込まれた外光が上方から金属板８０に照射する。
その結果生ずる反射作用によって文字部８１以外の部分は金属色（アルミ特有の金属色）で表示（視認）される。一方、第１導光板２０を介して取り込まれた外光の一部は金属板８０の文字部８１を通過し、更に第２導光板４０も通過した後、第２導光板４０の下に配置される第２金属板９０表面に至り、そこで反射される。この反射作用の結果、第２金属板９０の材質を反映した色、質感を有する光が金属板８０の文字部８１を通って上方に放射する。これによって金属板８０の文字部８１は金属色（アルミ特有の金属色）で表示される。以上の作用が奏される結果、スカッフプレート１０の窓１１を介して、所定の文字とその周囲が異なる色及び質感で表示されることとなる。一方、文字及びその周囲がいずれも金属面による反射を反映した色及び質感で表示等されることから全体としての統一感が得られる。また、文字及びその周囲の表示態様がともに金属特有の高い質感をもつことになる。
【００３３】
夜間時には第１光源５０及び第２光源６５の光によって以下の表示態様となる。まず第２光源６５の光は第２導光板４０に導入される。導入された光は、第２導光板４０の下に配置された第２金属板９０に反射され、これによって金属感が付与された青色光が第２導光板４０の上面より放出される。放出された光は下方から金属板８０に照射する。そして照射光の一部は金属板８０の文字部８１を通って上方へと取り出される。これによって所定の文字が金属感をもった態様で発光表示される。一方、第１導光板２５を介して第１光源５０の光が上方から金属板８０に照射する。その結果生ずる反射作用によって、金属板８０の文字部８１以外の部分は金属色（アルミ特有の金属色）で表示（視認）される。以上の作用が奏される結果、スカッフプレート１０の窓１１を介して、所定の文字が金属感のある青色で発光表示されるとともに、その周囲がアルミ特有の金属色で表示される。このように文字とその周囲が異なる色で表示されることによって文字が際だつとともに、両者が共に金属感をもった色で表示されることによって全体の統一感が生ずる。一方、文字の擬発光点（第２導光板９０の位置）と、文字周囲の擬発光点（金属板８０の位置）が相違することから文字が立体的に表示される。また、第１導光板２５内では、導光する光が導光板裏面に形成された凹部２６のエッジに集中し拡散する。これによってエッジライト効果が奏され、文字の発光表示に立体感が付与される。以上の作用が総合的に奏されることによって、高級感溢れるスカッフプレート部となる。
【産業上の利用可能性】
【００３４】
以上、本発明が適用される例としてスカッフプレート加飾装置を用いて説明したが、本発明の発光装置はその他の自動車車内用加飾装置（例えば、ドア部分に取り付けられるプレート状加飾（発光）装置、ピラー部分に取り付けられるライン状加飾（発光）装置等）に適用できるものである。また、自動車用に限らず、各種車両における表示プレート等の加飾、住居の内装における表示プレート又は表札等の外装における表示プレート等の加飾にも適用できるものである。
【００３５】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【図面の簡単な説明】
【００３６】
【図１】図１は、実施例のスカッフプレート加飾装置１の構成を示す分解斜視図である。
【図２】図２は、文字板３０の文字部３１を示す断面図である。
【図３】図３は、他の実施例のスカッフプレート加飾装置２の構成を示す分解斜視図である。
【図４】図４は、金属板８０の貫通孔８１部分を示す断面図である。
【図５】図５は、他の実施例のスカッフプレート加飾装置３の構成を示す分解斜視図である。
【図６】図６−ａは、第１導光板の裏面の形態を示す断面図である。図６−ｂは、文字板３５の文字部３６を示す断面図である。
【図７】図７は、他の実施例のスカッフプレート加飾装置４の構成を示す分解斜視図である。
【図８】図８は、従来型のスカッフプレート装置の構成を示す分解斜視図である。
【符号の説明】
【００３７】
１〜４  スカッフプレート加飾装置
１０  スカッフプレート
２０、２５  第１導光板
２６  凹部
３０  ３５  文字板
３１  ３６文字部
４０  第２導光板
４５  光反射面
５０  表面実装型白色ＬＥＤ
６０  砲弾型白色ＬＥＤ
６５  砲弾型青色ＬＥＤ
７０  スカッフ樹脂ガーニッシュ
８０  金属板
８１  貫通孔
９０  第２金属板
１００  従来型のスカッフプレート装置
１０１  文字板
１０２  ハーフミラーフィルム
１０３  導光板
１０４  光源
【図１】
2005221661.tif 000003
【図２】
2005221661.tif 000004
【図３】
2005221661.tif 000005
【図４】
2005221661.tif 000006
【図５】
2005221661.tif 000007
【図６】
2005221661.tif 000008
【図７】
2005221661.tif 000009
【図８】
2005221661.tif 000010